(57)【要約】【目的】  施工後の擁壁が不安定であるなどの問題がなく、比較的小規模の土地改良に適した埋め戻し構造物の実現を目的とする。【構成】  地下構造物を構築するための埋め戻し構造物であって、地山部の前面に立設された複数の壁面パネル１と、壁面パネルに設けられた貫通穴を貫通して壁面パネル前面側で緊結される連結部材２と、連結部材２の他端側が締結された網状シート３と、網状シート３上に盛られて網状シート３を埋設固定する埋め戻し土本体とを備えて構成され、壁面パネル１と壁面パネル背面側と地山部の間を埋め戻し土本体によって盛土したことを特徴とする。【選択図】  図１
2011036991.tif 000002
【特許請求の範囲】
【請求項１】
掘削した土を埋め戻しすることにより地下構造物を構築するための埋め戻し構造物であって、
地山部の法面に対して所定の間隔をあけて立設された複数の壁面パネルと、
前記複数の壁面パネルの高さ方向に沿って取り付けられる複数のシート部材と、
前記複数のシート部材と前記複数の壁面パネルとを連結させる連結部材と、
を有し、
前記所定の間隔内に前記掘削した土を埋め戻すとともに、前記複数の壁面パネルに連結された前記複数のシート部材がそれぞれ地面と略平行になるように敷設されて埋設されることを特徴とする。
【請求項２】
前記複数のシート部材は、網状であることを特徴とする請求項１に記載の埋め戻し構造物。
【請求項３】
前記複数のシート部材は、鋼製・布製・樹脂製であることを特徴とする請求項１または２に記載の埋め戻し構造物。
【請求項４】
前記複数のシート部材は、その長さが壁面パネル１の高さ方向の長さの略１／３以上の長さであることを特徴とする請求項１〜３の何れかに記載の埋め戻し構造物。
【請求項５】
掘削した土を埋め戻しすることにより地下構造物を構築するための埋め戻し工法であって、
埋め戻しを行う地面を掘削する掘削工程と、
地山部の前面に壁面パネルを立設するパネル立設工程と、
前記壁面パネルに複数のシート部材を取り付ける工程と、
前記地山部と前記壁面パネル間の埋め戻し部を前記複数のシート部材の敷設レベルまで埋め戻す埋め戻し工程と、
前記複数のシート部材の枚数分繰り返して埋め戻した後に整地を行う整地工程と、
を備えたことを特徴とする埋め戻し工法。
【請求項６】
掘削した土を埋め戻しすることにより地下構造物を構築するための埋め戻し工法であって、
埋め戻しを行う地面を掘削する掘削工程と、
地山部の前面に壁面パネルを立設するパネル立設工程と、
前記壁面パネルに複数のシート部材を取り付ける工程と、
前記地山部と前記壁面パネル間の埋め戻し部を前記複数のシート部材の敷設レベルまで埋め戻す埋め戻し工程と、
前記複数のシート部材の敷設レベルまで埋め戻しした後に前記敷設レベル面に転圧を行う転圧工程と、
前記埋め戻し工程と前記転圧工程とを前記シート部材の枚数分繰り返して行った後に整地を行う整地工程と、
を備えたことを特徴とする埋め戻し工法。
【発明の詳細な説明】
【技術分野】
【０００１】
本発明は、建築物の基礎部分や地下構造物を構築する際に、周辺地盤の崩壊を防止するための埋め戻し構造物及び埋め戻し工法に関する。
【背景技術】
【０００２】
建築物の基礎部分や地下室等の地下構造物を構築する場合、まず、周辺の地山を掘削して必要幅を確保し、斜面片側に擁壁や基礎などを設けて、その背面側に掘削した土を埋め戻しすることにより山留め壁となる埋め戻し構造物を構築するのが一般的な工法である。【０００３】
この従来の埋め戻し構造物の構成及び工法について、図１０〜図１２を参照して説明する。
図１０は、従来の埋め戻し構造物の構成を示す平面図であり、図１１は、図１０のＢ−Ｂ断面図である。
図１０及び図１１に示すように、従来の埋め戻し構造物では、埋め戻し部６の境界面にランナー７を介して壁面パネル１０１を立設し、この壁面パネル１０１の地山側と逆側（以下、単に「前面側」という）に壁面パネル１０１に固定して設けられた横棒１０２から壁面パネル１０１に設けられた貫通孔（図示せず）を介して張られた控え用ワイヤー１０３を地山部５に打ち込まれたアンカー等の支持杭１０４に締結して、壁面パネル１０１にかかる土圧を支持杭１０４の引き抜き抵抗力とのバランスで支持するようにしている。
控え用ワイヤー１０３の引っ張り方向は必ずしも一方向に限られるものではなく、全体としてのバランスが取りやすい方向に、必要あれば複数方向に引っ張るようにすることができる。【０００４】
図１２は、この従来の埋め戻し構造物の施工工程を示す図である。
施工に際しては、まず、図１２（ａ）に示すように、掘削して形成された埋め戻し部６に、ランナー７を介して壁面パネル１０１を立設する。壁面パネル１０１の前面側に固定して設けられた横棒１０２から壁面パネル１０１に設けられた貫通孔を介して張られた控え用ワイヤー１０３を引き出す。そして、地山部５に支持杭１０４を打ち込み、この支持杭１０４に控え用ワイヤー１０３を締結する。そして、控え用ワイヤー１０３と支持杭１０４とが埋まる程度に埋め戻し土を搬入して埋め戻しする。この時、埋め戻し土に対して転圧作業を行い、埋め戻し土を締め固める。【０００５】
そして、図１２（ｂ）及び図１２（ｃ）に示すように、壁面パネル１０１の底部から上部に向けてこの作業を繰り返し、壁面パネル１０１の高さと同程度まで埋め戻しを行い、埋め戻し構造物を構築する。こうして構築された埋め戻し構造物は、埋め戻し部６の土圧と支持杭１０４の引き抜き抵抗力とのバランスによって壁面パネル１０１を支持し安定化させている。【０００６】
ところで、このような場合における支持杭１０４を打設するための最適な施工方法は、地山や地盤の土質や施工環境の条件に合わせて異なってくる。そのため、必ずしも常に安定した引き抜き抵抗力が得られるとは限らず、支持杭１０４の数や施工位置、控え用鉄筋の太さや撚り本数などは施工環境に応じて変える必要があり、ことに、埋め戻し土部分では、施工後、地山の変動や雨水の影響などによって支持杭の施工位置がずれやすく、意図したとおりの引き抜き抵抗力が得られないという問題がある。【０００７】
また、転圧作業によって締め固めを行うことで、埋め戻し部６内の空隙をなくし、埋め戻し部６をより密な状態にすることができる。しかし、この作業によって、埋め戻し部６の内部で控え用ワイヤー１０３が壁面パネル１０１方向もしくは地山５方向に引っ張られてしまう。そのため壁面パネル１０１が傾いたり、控え用ワイヤー１０３が引っ張られることで、地山部５から支持杭１０４が抜けてしまったりといったことが発生するために十分な転圧作業をすることができない。従って、周辺地盤の変動や雨水の影響を受けやすい脆弱な埋め戻し構造物となってしまう。【０００８】
このような問題を解決するため、盛土の法面に法枠を設置し、この法枠の内側に植生土部材と盛土本体とを設け、法枠の底部に盛土本体を埋設固定される網状シートを設けた軽量盛土構造が報告されている（特許文献１参照）。
【先行技術文献】
【特許文献】
【０００９】
【特許文献１】特開２００２−３７１５５９号公報
【発明の概要】
【発明が解決しようとする課題】
【００１０】
以上に述べたように、従来の支持杭やアンカーを用いた埋め戻し工法では、意図したとおりの引き抜き抵抗力が得られない場合があって、擁壁が埋め戻し土の側圧によって押し倒されるなど安定しない場合が生まれる。
また、特許文献１に記載の発明は、鉄製の大型の法枠を用意する必要があり、大型の工事には有効であるが、一般の建築敷地の地盤改良などを目的にしたものではない。【００１１】
本発明は、このような問題を解決して、施工後の擁壁が不安定であるなどの問題がなく、比較的小規模の土地改良に適した埋め戻し構造物及び埋め戻し工法の実現を課題とする。
【課題を解決するための手段】
【００１２】
上記課題を解決するために、本発明の埋め戻し構造物は、掘削した土を埋め戻しすることにより地下構造物を構築するための埋め戻し構造物であって、地山部の法面に対して所定の間隔をあけて立設された複数の壁面パネルと、前記複数の壁面パネルの高さ方向に沿って取り付けられる複数のシート部材と、前記複数のシート部材と前記複数の壁面パネルとを連結させる連結部材と、を有し、前記所定の間隔内に前記掘削した土を埋め戻すとともに、前記複数の壁面パネルに連結された前記複数のシート部材がそれぞれ地面と略平行になるように敷設されて埋設されることを特徴とする。【００１３】
また、本発明の埋め戻し構造物は、前記複数のシート部材は、網状であることを特徴とする。【００１４】
また、本発明の埋め戻し構造物は、前記複数のシート部材は、鋼製・布製・樹脂製であることを特徴とする。【００１５】
また、本発明の埋め戻し構造物は、前記複数のシート部材は、その長さが壁面パネル１の高さ方向の長さの略１／３以上の長さであることを特徴とする。【００１６】
また、本発明の埋め戻し工法は、掘削した土を埋め戻しすることにより地下構造物を構築するための埋め戻し工法であって、埋め戻しを行う地面を掘削する掘削工程と、地山部の前面に壁面パネルを立設するパネル立設工程と、前記壁面パネルに複数のシート部材を取り付ける工程と、前記地山部と前記壁面パネル間の埋め戻し部を前記複数のシート部材の敷設レベルまで埋め戻す埋め戻し工程と、前記複数のシート部材の枚数分繰り返して埋め戻した後に整地を行う整地工程と、を備えたことを特徴とする。【００１７】
さらに、本発明の埋め戻し工法は、掘削した土を埋め戻しすることにより地下構造物を構築するための埋め戻し工法であって、埋め戻しを行う地面を掘削する掘削工程と、地山部の前面に壁面パネルを立設するパネル立設工程と、前記壁面パネルに複数のシート部材を取り付ける工程と、前記地山部と前記壁面パネル間の埋め戻し部を前記複数のシート部材の敷設レベルまで埋め戻す埋め戻し工程と、前記複数のシート部材の敷設レベルまで埋め戻しした後に前記敷設レベル面に転圧を行う転圧工程と、前記埋め戻し工程と前記転圧工程とを前記シート部材の枚数分繰り返して行った後に整地を行う整地工程と、を備えたことを特徴とする。
【発明の効果】
【００１８】
本発明は、以上のように構成し、処理するので、小規模な土地での施工に適し、現地の状況に合わせた施工が可能で、擁壁を形成する壁面パネルを施工後長期に亘って安定に維持することが可能な埋め戻し構造物と埋め戻し工法を実現することができる。
【図面の簡単な説明】
【００１９】
【図１】本発明の埋め戻し構造物の一実施形態の構成を示す平面図である。
【図２】図１に示す実施形態のＡ−Ａ断面図である。
【図３】図１に示す実施形態に用いられる連結部材の詳細図である。
【図４】本発明の埋め戻し工法のフローチャート図である。
【図５】第２の実施形態に係る埋め戻し構造物の断面図である。
【図６】第２の実施形態で用いられる連結部材の詳細図である。
【図７】第２の実施形態の埋め戻し構造物の施工手順を示したフローチャートである。
【図８】第２の実施形態の埋め戻し構造物の施工工程を示した図である。
【図９】第２の実施形態の埋め戻し構造物の施工工程を示した図である。
【図１０】従来の埋め戻し構造物の構成を示す平面図である。
【図１１】図１０のＢ−Ｂ断面図である。
【図１２】従来の埋め戻し構造物の施工工程を示した図である。
【発明を実施するための形態】
【００２０】
以下、添付図面に基づき、本発明の実施の形態を説明する。
【００２１】
＜第１の実施形態＞
図１〜図３は、第１の実施形態に係る埋め戻し構造物を示す図である。
なお、図１〜図３において、符号１は壁面パネル、符号２は連結部材、符号３は網状シート、符号４は埋め戻し土本体、符号５は地山部、符号６は埋め戻し部、符号２１は３型座金、符号２２はスラブリング、符号２３はナット、符号２４は横棒、符号３１は控え用ワイヤーを示す。以下、図１〜図３に沿って詳細に説明する。
【００２２】
図１は、第１の実施形態に係る埋め戻し構造物の平面図である。
図に示すように、地山部５の前面には、地山部５の法面に対して所定の間隔をあけて複数の壁面パネル１が立設されており、埋め戻し構造物の前縁区画を構成している。そして、この地山部５の前面と複数の壁面パネル１の間に網状シート３が埋設される。この網状シート３は、控え用ワイヤー３１を介して連結部材２に締結されている。連結部材２は、壁面パネル１に設けられた貫通穴（図示せず）にその一端が貫通されており、その一端側に控え用ワイヤー３１が接続される。
【００２３】
図２は、図１のＡ−Ａ断面図である。
図に示すように、壁面パネル１は、予め掘削面に設置されたランナー７上に立設されている。壁面パネル１の最低部には、壁面パネル１の安定性を保持するために網状シート３が地面部分を覆うように敷設され、ビス８等で壁面パネル１に直接固定されている。
最低部以外の壁面パネル１の高さ方向の複数の部位には、網状シート３がそれぞれ控え用ワイヤー３１を介して連結部材２に締結されている。この網状シート３は、埋め戻し部６で、それぞれ、埋め戻し土４によって地面に略平行に埋設される。図では、高さ方向に沿って、地面に略平行に複数層重ねて埋設された３枚の網状シート３を示している。
【００２４】
このような構成を採ることで、網状シート３のそれぞれには埋め戻し土４の土圧が加わる。この土圧によって、網状シート３は従来のように支持杭を打たなくても地山部５を埋め戻し部６によって十分に繋留することができ、壁面パネル１にかかる土圧とバランスをとって壁面パネル１を支持することができる。
なお、ここで用いる壁面パネル１は、例えば、高耐食性のめっきを施した鋼製型枠「Ｅ−ＰＡＮＥＴ」（登録商標）などが使用可能であり、網状シート３には鋼製又は樹脂製のものを用いることができる。
【００２５】
図３は、第１の実施形態において用いる連結部材２の詳細を示す図である。
図に示すように、この連結部材２は、３型座金２１、スラブリング２２とナット２３の組み合わせで構成される。使用時は、スラブリング２２を地山部５側から壁面パネル１に設けられた貫通穴に貫通させ、壁面パネル１の前面側で３型座金２１に通し、ナット２３で緊結する。そして、３型座金２１の金具の湾曲面と壁面パネル１の前面側で形成される間隙に横棒２４（ここでは１０ｍｍφの鉄筋を用いている）を抱え込ませて締結する。この横棒２４の締結によって、壁面パネル１は左右の壁面パネルと連結され、必要な強度を得ることができる。
なお、壁面パネル１に対して網状シート３を締結するには、必ずしもこの連結部材２を使用しなくとも良く、例えば、壁面パネル１に直接網状シート３を取り付けてもよい。
【００２６】
図１では、３組の壁面パネル１のそれぞれから網状シート３を地面に略平行に敷設して埋設するようにしているが、必ずしもすべての壁面パネル１から網状シート３を引き出す必要はなく、壁面パネル１が相互に連結されていれば、一部を省略したり、一部を従来例に示した支持杭による締結に置き換えたりしてもよい。
【００２７】
図４は、第１の実施形態における埋め戻し工法を示すフローチャートである。このフローチャートに添って第１の実施形態における埋め戻し工法を説明する。
本発明の埋め戻し工法は掘削した地面に地下構造物を施工するための埋め戻し工法である。
まず、所定区画の地面を掘削する（ステップＳ１：掘削工程）。そして、掘削された掘削面の所定の位置に壁面パネル１を立設する（ステップＳ２：パネル立設工程）。
次に、壁面パネル１の最低部に網状シート３を締結して敷設し、埋め戻し土４を搬入して埋め戻す（ステップＳ３：埋め戻し工程）。次に、壁面パネル１の高さ方向敷設レベル面に網状シート３を敷設する（ステップＳ４：敷設工程）。ついで、壁面パネル１の高さ方向に対し、所定の高さまで網状シート３の敷設を実行したかを判断し（ステップＳ５）、所定の高さまで敷設が満たない場合は、ステップＳ３の埋め戻し工程及びステップＳ４の敷設工程を繰り返す。
この繰り返しの後に、最上部の埋め戻し部６を整地し（ステップＳ６：整地工程）、埋め戻しを完成させる。
【００２８】
このように、埋め戻すことにより、埋め戻し部６に埋め戻し土４と網状シート３の複数層が地面に略平行に重ねて積層される。このようにして、網状シート３のそれぞれには埋め戻し土４の土圧が加わり、この土圧によって、網状シート３は従来のように支持杭を打たなくても地山部５を埋め戻し部６によって十分に繋留することができ、壁面パネル１にかかる土圧とバランスをとって壁面パネル１を支持することができる。
【００２９】
なお、壁面パネル１としては、上記では鋼製型枠のパネルの例を示したが、これに限られるものではなく、樹脂製あるいは木製のパネルを使用することができる。
網状シート３の材質としては、鋼製・布製・樹脂製等、壁面パネル１の材質に応じた網状のシートを使用することができる。網状シート３は、土圧を受けることができるシート状部材であれば必ずしも網目を有する必要はない。さらに、土壌に含まれる粘土や砂の含有率に応じて、上記した種類のシート状部材を使い分けることができる。
また、壁面パネル１の高さ方向に設置する複数の網状シート３の設置する間隔も同様に、構築する構造物の規模によって調整が可能である。
さらに、埋め戻し部６の最低部に壁面パネル１の安定性を保持するために、網状シート３を設置しているが、例えば、埋め戻し部６の最低部に捨てコンクリートを打設する場合には、網状シート３を設置する必要はない。
【００３０】
＜第２の実施形態＞
図５および図６は、本発明の第２の実施形態に係る埋め戻し構造物を示す図である。なお、第１の実施形態と同一の構成には同一の符号を用いたので、その点に関する重複する説明は省略する。
この第２の実施形態に係る埋め戻し構造物は、壁面パネルから引き出される網状シートの種類や長さを変えることにより、その施工環境に最適な埋め戻し構造物を構築するようにしたものである。
【００３１】
図５は、第２の実施形態に係る埋め戻し構造物の断面図である。
図に示すように、この埋め戻し構造物は、地山部５の前面に複数の壁面パネル１が立設されており、埋め戻し構造物の前縁区画を構成している点、この壁面パネル１が予め掘削面に設置されたランナー７上に立設されている点、この壁面パネル１から連結部材２０を介して網状シート３が埋め戻し部５方向に引き出されている点、網状シート３が埋め戻し部６で、それぞれ、埋め戻し土４によって埋設され、埋め戻し部６で網状シート３の枚数分複数層重ねて積層されている点、については第１の実施形態と同様である。
【００３２】
第１の実施形態とは、壁面パネル１から引き出される網状シート３の長さと、連結部材による連結方法において異なる。
図５に示すように、引き出される網状シート３の長さは、第１の実施形態のように法面まで引き出されておらず、立設する壁面パネル１の高さに対して１／３程度の長さとなっている。周辺地盤の土質や埋め戻し土４の土質、構築する構造物の規模によって変わるため、網状シート３の長さを調整可能にしたものである。この長さが１／３未満であると、土圧により壁面パネル１の前面側に向かう力と法面側に向かう力とのバランスがとれなくなり、壁面パネル１を支持できなくなる。従って、引き出される網状シート３の長さは、壁面パネル１の高さに対して略１／３あるいはそれ以上であることが望ましい。
【００３３】
図６は、第２の実施形態に係る埋め戻し構造物に用いられる連結部材２０を示す図である。
図に示すように、第１の実施形態と異なり、網状シート３は連結部材２０を介してそのまま壁面パネル１に固定されている。この連結部材２０は、略コ字形状で壁面パネル１の幅方向に長い部材である。固定する際には、連結部材２０の背面と壁面パネル１との間に網状シート３の一端を挟み、その状態でビス８を用い、網状シート３を壁面パネル１に固定する。
このように、簡易な形状の連結部材２０を用いることにより、壁面パネル１の材質や形状を問わずに網状シート３を容易に固定することができる。
【００３４】
図７は、第２の実施形態に係る埋め戻し構造物の施工手順を示すフローチャートであり、図８および図９は、この埋め戻し構造物の施工工程を示す図である。以下、図７〜図９を参照して、第２の実施形態に係る埋め戻し構造物の施工方法を説明する。
まず、図８（ａ）に示すように、埋め戻し構造物を構築するために地山部５の所定区画を掘削する（図７のステップＳ１０）。次に、図８（ｂ）に示すように、掘削工程によって形成された法面８から必要な埋め戻し部６を形成するための幅を確保した位置にランナー７を設置し、このランナー７上に壁面パネル１を立設する（図７のステップＳ１１）。この時に、ランナー７もしくは壁面パネル１の最低部付近に網状シート３の一端を固定して敷設する。なお、予め捨てコンクリ―ト上に壁面パネル１を立設させる場合や、施工環境によっては、壁面パネル１の最低部に網状シート３を敷設する必要はない。次に、埋め戻し土４を搬入して壁面パネル１における網状シート３の敷設レベルまで埋め戻し（図７のステップＳ１２）、立設された壁面パネル１の高さ方向の所定位置に連結部材２０を介して網状シート３を設置する（図７のステップＳ１３）。
【００３５】
次に、網状シート３を地面に対して略平行になるように、埋め戻し土４の上に敷くようにする。さらに、図９（ａ）に示すように、網状シート３が埋まる程度に埋め戻し土４を搬入して転圧作業によって埋め戻し土４を締め固める（図７のステップＳ１４）。そして、図９（ｂ）（ｃ）に示すように、設置されている網状シート３の枚数分に対しても埋め戻し土４の搬入と転圧作業を繰り返し行い（図７のステップＳ１５）、最上部の埋め戻し部６を整地し（図７のステップＳ１６）、埋め戻しを完成させる。
【００３６】
このようにして、構築された埋め戻し構造物は、網状シート３が敷設された位置で埋め戻し土４に対して転圧を行うため、それぞれの網状シート３の網目部分に埋め戻し土４が入り込み、網状シート３と埋め戻し土との摩擦抵抗力が向上する。これにより、壁面パネル１にかかる埋め戻し土４の土圧に対して、網状シート３と埋め戻し土にかかる土圧と摩擦抵抗力が上回り、その結果、壁面パネル１の支持を強固にすることができる。
【００３７】
また、壁面パネルから引き出す網状シートの長さ及び設置する間隔を、壁面パネルの高さに応じて変えることができるので、施工環境や構造物の規模に見合った長さや枚数で使用することができ、コストを抑えることができる。さらに、連結部材が簡易な形状で、かつ、容易に壁面パネルに網状シートを確実に固定することができることから、特別な技術を必要とすることなく施工が可能となる。また、そのために、工期を短縮することもできる。
なお、第２の実施形態において行われる転圧作業は、第１の実施の形態においても行ってもよいことは言うまでもない。
【産業上の利用可能性】
【００３８】
本発明は、小規模な土地での施工に適し、現地の状況に合わせた施工が可能で、擁壁を形成する壁面パネルを施工後長期に亙って安定に維持することが可能であるので、建築、土木関係の産業の分野で広く利用が可能である。
【符号の説明】
【００３９】
１    壁面パネル
２、２０    連結部材
３    網状シート
４    埋め戻し土
５    地山部
６    埋め戻し部
７    ランナー
８    ビス
２１    ３型座金
２２    スラブリング
２３    ナット
２４    横棒
３１    控え用ワイヤー
【図１】
2011036991.tif 000003
【図２】
2011036991.tif 000004
【図３】
2011036991.tif 000005
【図４】
2011036991.tif 000006
【図５】
2011036991.tif 000007
【図６】
2011036991.tif 000008
【図７】
2011036991.tif 000009
【図８】
2011036991.tif 000010
【図９】
2011036991.tif 000011
【図１０】
2011036991.tif 000012
【図１１】
2011036991.tif 000013
【図１２】
2011036991.tif 000014
【国際調査報告】
2011036991.tif 000015
2011036991.tif 000016
2011036991.tif 000017
2011036991.tif 000018